(57)【要約】【課題】放送信号に含まれるコンテンツを印刷する印刷装置において、特に放送信号にコンテンツの種類を特定する情報を付加しなくとも、印刷装置側で様々なコンテンツの種類別に印刷することを可能とする。【構成】放送信号を受信する手段と、受信した放送信号に含まれるコンテンツを検出する検出手段と、検出したコンテンツとコンテンツの種類を特定するコンテンツ種類情報とを対応づけて記憶する記憶手段と、所定のコンテンツ種類を指定して印刷指示を供給する印刷指示手段と、指定された種類のコンテンツを記憶手段から読み出し、可視画像に展開して記録紙上に印刷する印刷手段とを備えた印刷装置。【選択図】        図１
2004172839.tif 000002
【特許請求の範囲】
【請求項１】
放送信号を受信する受信手段と、
前記受信手段により受信した放送信号に含まれるコンテンツを検出する検出手段と、
前記検出手段により検出したコンテンツと、前記コンテンツの種類を特定するコンテンツ種類情報とを対応づけて記憶する記憶手段と、
所定のコンテンツ種類を指定して印刷指示を供給する印刷指示手段と、
前記印刷指示手段により指定された種類のコンテンツを前記記憶手段から読み出し、可視画像に展開して記録紙上に印刷する印刷手段とを備えることを特徴とする印刷装置。
【請求項２】
前記コンテンツ種類情報は、コンテンツを受信したチャンネルのチャンネル番号であることを特徴とする請求項１記載の印刷装置。
【請求項３】
コンテンツの印刷形態を指定する指定手段をさらに備え、
前記記憶手段から読み出したコンテンツを、前記指定手段により指定された印刷形態で印刷することを特徴とする請求項１、２記載の印刷装置。
【請求項４】
前記印刷形態は、両面印刷、縮小レイアウト印刷、製本印刷、カラー印刷、複数部印刷、ステイプル印刷の何れかを含むことを特徴とする請求項３記載の画像処理装置。
【請求項５】
放送信号を受信する受信手段と、
前記受信手段により受信した放送信号に含まれるＥＰＧ（Ｅｌｅｃｔｒｉｃ  Ｐｒｏｇｒａｍ  Ｇｕｉｄｅ）およびコンテンツを検出する検出手段と、
前記ＥＰＧに基づいて所定の放送番組の受信を予約する受信予約手段と、
前記受信予約手段により予約した放送番組の番組情報を記憶する第一の記憶手段と、
前記受信予約手段により予約した放送番組の受信中に前記検出手段で検出したコンテンツを、前記第一の記憶手段に記憶している番組情報をコンテンツ種類情報として対応づけて記憶する第二の記憶手段と、
所定のコンテンツ種類を指定して印刷指示を供給する印刷指示手段と、
前記印刷指示手段により指定された種類のコンテンツを前記第二の記憶手段から読み出し、可視画像に展開して記録紙上に印刷する印刷手段とを備えることを特徴とする印刷装置。
【請求項６】
前記コンテンツ種類情報は、チャンネル番号、番組名、ジャンルの何れかを含むことを特徴とする請求項５記載の印刷装置。
【請求項７】
コンテンツの印刷形態を指定する指定手段をさらに備え、
前記第二の記憶手段から読み出したコンテンツを、前記指定手段により指定された印刷形態で印刷することを特徴とする請求項５、６記載の印刷装置。
【請求項８】
前記印刷形態は、両面印刷、縮小レイアウト印刷、製本印刷、カラー印刷、複数部印刷、ステイプル印刷の何れかを含むことを特徴とする請求項７記載の印刷装置。
【発明の詳細な説明】
【０００１】
【発明の属する技術分野】
本発明は、放送信号を受信して放送信号に含まれるコンテンツを印刷する方法及びその装置に関し、特に、受信したコンテンツを種類ごとに印刷する印刷方法及びその装置に関するものである。
【０００２】
【従来の技術】
従来、文字多重放送やデータ放送など、放送信号に文字・画像などのコンテンツを重畳して放送し、受信装置側で受信したコンテンツを接続するモニタ上に表示したりプリンタで印刷したりする装置が考案されている。
【０００３】
また、受信したコンテンツの中から所望の種類のコンテンツのみを印刷する方法として、放送信号にコンテンツの種類コードを含ませて送信し、受信装置側で、予め印刷したいコンテンツの種類コードを指定しておくことにより、種類コードが一致した場合のみ印刷する方法が考案されている（特開２００１−１４５０４９）。
【０００４】
【発明が解決しようとする課題】
しかしながら、特開２００１−１４５０４９では、受信装置側で受信したコンテンツを区別する方法として、コンテンツの種類コードを用いているため、予め放送信号にコンテンツの種類に応じたコードを付加しなければなない。
【０００５】
したがって、種類コードが付加されていない放送信号を受信した場合には、受信したコンテンツを区別することができない。
【０００６】
また、受信したコンテンツの種類コードが一致した場合、その時点で印刷を行うため、例えば、印刷したいコンテンツの種類を複数指定していた場合、複数の種類のコンテンツが受信した順に印刷され、場合によっては、複数の種類の印刷物が混ざった状態で排紙されてしまう。
本発明は、上記の課題を解決することのできる印刷装置を提供することを目的とする。
【０００７】
【課題を解決するための手段】
上記目的を達成するために請求項１記載の印刷装置は、放送信号を受信する受信手段と、前記受信手段により受信した放送信号に含まれるコンテンツを検出する検出手段と、前記検出手段により検出したコンテンツと、前記コンテンツの種類を特定するコンテンツ種類情報とを対応づけて記憶する記憶手段と、所定のコンテンツ種類を指定して印刷指示を供給する印刷指示手段と、前記印刷指示手段により指定された種類のコンテンツを前記記憶手段から読み出し、可視画像に展開して記録紙上に印刷する印刷手段とを備えたものである。
【０００８】
請求項２記載の印刷装置は、前記コンテンツ種類情報として、コンテンツを受信したチャンネルのチャンネル番号を用い、指定したチャンネルのコンテンツのみを印刷可能としたものである。
【０００９】
請求項３記載の印刷装置は、コンテンツの印刷形態を指定する指定手段をさらに備え、前記記憶手段から読み出したコンテンツを、前記指定手段により指定された印刷形態で印刷可能としたものである。
【００１０】
請求項４記載の印刷装置は、前記印刷形態として、両面印刷、縮小レイアウト印刷、製本印刷、カラー印刷、複数部印刷、ステイプル印刷の何れかを指定可能としたものである。
【００１１】
また、請求項５記載の印刷装置は、放送信号を受信する受信手段と、前記受信手段により受信した放送信号に含まれるＥＰＧ（Ｅｌｅｃｔｒｉｃ  Ｐｒｏｇｒａｍ  Ｇｕｉｄｅ）およびコンテンツを検出する検出手段と、前記ＥＰＧに基づいて所定の放送番組の受信を予約する受信予約手段と、前記受信予約手段により予約した放送番組の番組情報を記憶する第一の記憶手段と、前記受信予約手段により予約した放送番組の受信中に前記検出手段で検出したコンテンツを、前記第一の記憶手段に記憶している番組情報をコンテンツ種類情報として対応づけて記憶する第二の記憶手段と、所定のコンテンツ種類として指定して印刷指示を供給する印刷指示手段と、前記印刷指示手段により指定された種類のコンテンツを前記第二の記憶手段から読み出し、可視画像に展開して記録紙上に印刷する印刷手段とを備えたものである。
【００１２】
請求項６記載の印刷装置は、前記コンテンツ種類情報として、チャンネル番号、番組名、ジャンルの何れかを用い、これら指定した何れかの種類のコンテンツのみを印刷可能としたものである。
【００１３】
請求項７記載の印刷装置は、コンテンツの印刷形態を指定する指定手段をさらに備え、前記第二の記憶手段から読み出したコンテンツを、前記指定手段により指定された印刷形態で印刷可能としたものである。
【００１４】
請求項８記載の印刷装置は、前記印刷形態として、両面印刷、縮小レイアウト印刷、製本印刷、カラー印刷、複数部印刷、ステイプル印刷の何れかを指定可能としたものである。
【００１５】
【発明の実施の形態】
［印刷システムの例］
以下に、図面を参照して本発明を詳細に説明する。
【００１６】
図１は、本発明のシステム全体の一例を示し、後述する第１、第２の実施形態に共通のものである。
【００１７】
放送局１は、放送信号２によって、変調されたアナログ映像音声信号を送信するとともに、コンテンツやＥＰＧなどのデータを送信する。
【００１８】
印刷システムは、全体として、アンテナ３、受信装置４、モニタ５、プリンタコントローラ６、パネル７、プリンタ８を備え、放送局１からの変調されたアナログ映像音声信号およびデータは、アンテナ３で受信されて、受信装置４内のチューナで選局される。
【００１９】
受信装置４は、受信した映像信号および音声信号をモニタ５に出力する。また、受信したコンテンツをプリンタコントローラ６に出力する。
【００２０】
プリンタコントローラ６は、受信装置４から受け取ったコンテンツを、プリンタコントローラ６内のハードディスクに格納する。
【００２１】
パネル７は、プリンタコントローラ６に接続し、ユーザがコンテンツを印刷するため操作画面を表示したり、ユーザの操作指示を入力する。
【００２２】
プリンタコントローラ６は、パネル７からコンテンツの印刷指示が入力されると、所定のコンテンツをハードディスクから読み出し、ビットマップ画像に展開して、接続するプリンタ８に出力する。
【００２３】
プリンタ８は、プリンタコントローラ６から受け取ったビットマップ画像を記録紙９に印字する。
【００２４】
［第１の実施形態］
（受信装置の構成）
図２は、第１の実施形態における受信装置４のハード構成の概要を示すブロック図である。
【００２５】
図示するように、受信装置４は、アナログ復調部４１、映像音声出力部４７および、ＣＰＵ４８のＣＰＵバス５１上に接続する、チューナ４２、データ検出部４３、リモコン受信部４４、プリンタコントローラ・インターフェース（Ｉ／Ｆ）部４６、ＲＯＭ４９、ＲＡＭ５０を備える。
【００２６】
チューナ４１は、アンテナ３から供給される信号の中から選局された放送信号を取り出し、アナログ復調部４２およびデータ検出部４３に出力する。
【００２７】
アナログ復調部４２は、チューナ４１から入力される変調されたアナログ映像音声信号を復調し、復調したアナログ映像音声信号を映像音声出力部４７に出力する。
【００２８】
映像音声出力部４７は、入力されたアナログ映像音声信号をモニタ５に出力し、モニタ５に映像が表示され音声が出力される。
【００２９】
データ検出部４３は、チューナ４２から入力した放送信号に含まれるコンテンツを検出してＣＰＵバス５１上に出力する。ＣＰＵ４８は、データ検出部４３で検出されたコンテンツをＲＡＭ５０に格納するとともに、プリンタコントローラＩ／Ｆ部４６を介してプリンタコントローラ６にコンテンツを受信した旨を通知する。
【００３０】
リモコン４５は、受信装置４を制御するもので、電源操作や選局操作が可能なキーを備え、ユーザによる操作指示を赤外線により受信装置４に送信する。
【００３１】
リモコン受信部４４は、リモコン４５から送信される赤外線を受信して、電源操作や選局操作の指示をＣＰＵバス５１上に出力する。
【００３２】
ＣＰＵ４８は、ＲＯＭ４９に格納された制御プログラムに従って、受信装置４の各部を制御する。
【００３３】
ＲＡＭ５０は、データ検出部４３やリモコン受信部４４から出力されるデータを格納したり、ＣＰＵ４８の作業領域として使用されるメモリである。
【００３４】
（プリンタコントローラの構成）
図３は、第１の実施形態におけるプリンタコントローラ６のハード構成の概要を示すブロック図である。
【００３５】
図示するように、プリンタコントローラ６は、ＣＰＵ６７のＣＰＵバス７０上に、受信装置インターフェース（Ｉ／Ｆ）部６１、ハードディスク６２、バッファメモリ６３、プリンタ・インターフェース（Ｉ／Ｆ）部６４、パネル・インターフェース（Ｉ／Ｆ）部６５、ＲＯＭ６８、ＲＡＭ６９が接続されている。
【００３６】
受信装置Ｉ／Ｆ部６１は、受信装置４から送信されるコマンドデータやコンテンツを入力し、ＣＰＵバス７０上に出力する。
【００３７】
ハードディスク（ＨＤ）６２は、受信装置４から入力したコンテンツやコンテンツを管理するための管理テーブルを格納する。
【００３８】
バッファメモリ６３は、ハードディスク６２に格納されたコンテンツをビットマップ画像に展開して印刷する際に使用される一時的なメモリである。
【００３９】
プリンタＩ／Ｆ部６４は、プリンタコントローラ６で展開したビットマップ画像をプリンタ部８に出力して印刷する際に、画像データや制御データのやり取りを行う。
【００４０】
パネルＩ／Ｆ部６５は、ＲＯＭ６８に格納されている各種操作画面をパネル７に表示したり、パネル７から入力されたユーザの操作指示情報をＣＰＵバス７０上に出力する。
【００４１】
ＣＰＵ６７は、ＲＯＭ６８に格納された制御プログラムに従って、プリンタコントローラ６の各部を制御する。
【００４２】
ＲＡＭ６９は、受信装置Ｉ／Ｆ部６１や、パネルＩ／Ｆ部６５から出力されるデータを格納したり、ＣＰＵ６７の作業領域として使用されるメモリである。
【００４３】
（コンテンツ受信処理）
次に、受信装置４で放送信号２に含まれるコンテンツを検出し、プリンタコントローラ６のハードディスク６２に格納するまでのコンテンツ受信処理について図５、図６のフローチャートを用いて説明する。
【００４４】
図５は、受信装置４におけるコンテンツ受信時の処理の流れを示したフローチャートである。
【００４５】
受信装置４のデータ検出部４３でコンテンツを検出すると、検出したコンテンツをＲＡＭ５０に格納する（ステップＳ５０１）。
【００４６】
続いて、現在チューナ４２で選局されているチャンネル番号をＲＡＭ５０に記憶する（ステップＳ５０２）。
【００４７】
次に、プリンタコントローラＩ／Ｆ部４６を介して、プリンタコントローラ６にコンテンツを受信した旨を通知する（ステップＳ５０３）。なお、この際、受信したコンテンツのデータサイズを通知する。
【００４８】
プリンタコントローラ６から該通知に対する応答がくるのを待機して（ステップＳ５０４）、プリンタコントローラ６から応答がくると、その応答の内容が、プリンタコントローラ６においてコンテンツを格納可能であるか否かを判定する（ステップＳ５０５）。
【００４９】
コンテンツを格納可能である場合には、ＲＡＭ５０に格納しているコンテンツおよびコンテンツの情報（コンテンツ名、チャンネル番号）を、プリンタコントローラ６に送信する（ステップＳ５０６）。
【００５０】
なお、コンテンツを格納不可能である場合には、送信しない。
【００５１】
ステップＳ５０６でプリンタコントローラ６にコンテンツを送信し終えた後、若しくは、ステップＳ５０５でコンテンツを格納不可能である場合には、ＲＡＭ５０に格納しているコンテンツおよびチャンネル番号を削除して（ステップＳ５０７）、一連の処理を終える。
【００５２】
図６は、プリンタコントローラ６において、受信装置４からコンテンツを受信した旨通知を受けて、コンテンツをハードディスク６２に格納するまでの処理を示したフローチャートである。
【００５３】
プリンタコントローラ６は、受信装置４からコンテンツを受信した旨通知を受けると、まず、ハードディスク６２に、通知されたコンテンツのデータサイズ分の空きサイズがあるか否かを判定する（ステップＳ６０１）。
【００５４】
空きサイズがない場合には、受信装置４にコンテンツの格納が不可能であることを通知して（ステップＳ６０３）、処理を終える。
【００５５】
空きサイズがある場合には、受信装置４にコンテンツの格納が可能であることを通知し（ステップＳ６０２）、引き続き、受信装置４からコンテンツが入力されるのを待機する（ステップＳ６０４）。
【００５６】
受信装置４からコンテンツおよびコンテンツ情報が入力されると、入力したコンテンツをハードディスク６２に格納する（ステップＳ６０５）。
【００５７】
また、格納したハードディスク上のアドレスおよび、受信装置４から入力したコンテンツ情報をコンテンツ管理テーブルにセットして処理を終える（ステップＳ６０５）。
【００５８】
図４にコンテンツ管理テーブルの例を示す。
【００５９】
コンテンツ管理テーブル４００は、ハードディスク６２に格納したコンテンツを管理するためのテーブルで、管理Ｎｏ．を示すＮｏ．、コンテンツ名を示すＮａｍｅ、コンテンツを受信したチャンネル番号を示すＣｈ．、ハードディスク６２上のコンテンツの格納先アドレスを示すＡｄｄｒｅｓｓからなる。
【００６０】
以上のようにして、受信装置４で検出されたコンテンツは、プリンタコントローラ６のハードディスク６２に格納され、またハードディスク６２に格納されたコンテンツの情報は、コンテンツ管理テーブル４００にセットされる。
【００６１】
（コンテンツ印刷処理）
次に、プリンタコントローラ６のハードディスク６２に格納されたコンテンツを印刷する、コンテンツ印刷時の処理について説明する。
【００６２】
図７は、コンテンツ印刷時に、パネル７に表示される操作画面のフローを示した図である。
【００６３】
画面７０１は、コンテンツ印刷時の初期画面を示す。なお、画面はタッチパネル方式になっていて、ユーザが画面上の所定の項目を押下することにより、該項目が選択され、プリンタコントローラ６にその操作情報が通知される。
【００６４】
画面７０１では、ハードディスク６２に格納しているコンテンツを全て印刷するか、指定したチャンネルのコンテンツのみを印刷するかを選択する項目と、印刷終了後にハードディスク６２に格納しているコンテンツを削除するかどうかの選択項目が表示される。また、印刷設定ボタンを押下すると画面７０２が表示される。
【００６５】
画面７０２は、コンテンツの印刷設定を行う画面で、仕上げ方法として、片面印刷または両面印刷を選択する項目と、印刷部数を指定する項目が表示される。
【００６６】
画面７０２で印刷設定を行ってＯＫボタンを押下すると、その設定情報がプリンタコントローラ６に通知され、プリンタコントローラ６は、設定情報をＲＡＭ５０に記憶した後、再び画面７０１を表示する。戻るボタンを押下した場合は、そのまま画面７０１を表示する。
【００６７】
画面７０２で印刷設定を行った後、画面７０１で印刷開始ボタンを押下すると、設定された情報に基づき、コンテンツの印刷が開始される。
【００６８】
画面７０３は、画面７０１で「チャンネルを指定して印刷」が選択されて印刷開始ボタンが押下された際に、指定されたチャンネルのコンテンツ、すなわち印刷すべきコンテンツが１つも無い場合に表示されるエラー画面である。ＯＫボタンを押下することにより、再び画面７０１が表示される。
【００６９】
画面７０４は、コンテンツ印刷中に表示される画面で、印刷が終了すると再び画面７０１が表示される。
【００７０】
図８は、プリンタコントローラ６におけるコンテンツ印刷時の処理を示したフローチャートで、本処理は、パネル７の画面７０１で印刷開始が押下された時点で起動する。
【００７１】
プリンタコントローラ６は、パネル７から入力した画面７０１での設定情報に基づき、全てのコンテンツを印刷するか、指定チャンネルのコンテンツのみを印刷するかを判定する（ステップＳ８０１）。
【００７２】
全てのコンテンツを印刷すると判定した場合、コンテンツ管理テーブル４００を参照し、最初のレコードのコンテンツをハードディスク６２から読み出し、ビットマップ画像に展開してバッファメモリ６３に格納する（ステップＳ８０２）。
【００７３】
ビットマップ画像への展開が終了すると、パネル７から入力した印刷設定情報に基づき、プリンタ８に印刷設定を行い、バッファメモリ６３に格納しているビットマップ画像をプリンタ８に出力する（ステップＳ８０３）。
【００７４】
プリンタ８において印刷が正常に終わらなかった場合には、ステップＳ８０４に戻って再び同じビットマップ画像をプリンタ８に出力する。
【００７５】
印刷が正常に終了した場合は（ステップＳ８０４）、印刷終了後にコンテンツを削除すると指定されているかどうかを判定し（ステップＳ８０５）、削除が指定されている場合には、ハードディスク６２上から該コンテンツを削除し、またコンテンツ管理テーブル４００上から該コンテンツのレコードを削除する（ステップＳ８０６）。
【００７６】
１つのコンテンツの処理を終えると、コンテンツ管理テーブル４００に次のレコードあるかどうかを判定し（ステップＳ８０７）、次のレコードがある場合には、再びステップＳ８０２にも戻って次のレコード（コンテンツ）の印刷処理を行う。次のレコードがない場合には、その時点で一連の処理を終える。
【００７７】
ステップＳ８０１で、指定チャンネルのコンテンツのみを印刷すると判定した場合、コンテンツ管理テーブル４００に、指定されたチャンネルのコンテンツがあるかどうか、全レコードのＣｈ．を検索する（ステップＳ８０８）。
【００７８】
コンテンツ管理テーブル４００に、指定されたチャンネルのコンテンツが一つも見つからなかった場合、パネル７にエラー画面７０３を表示する（ステップＳ８１６）。
【００７９】
画面７０３でＯＫキーが押下されるのを待機し（ステップＳ８１７）、ＯＫキーが押下されると、パネルに初期画面７０１を表示して一連の処理を終える。
ステップＳ８０８で、コンテンツ管理テーブル４００に、指定されたチャンネルのコンテンツが見つかった場合、続いて、コンテンツ管理テーブル４００の最初のレコードのＣｈ．を参照し、指定されたチャンネルと一致するか否かを判定する（ステップＳ８０９）。
【００８０】
チャンネルが一致した場合、該レコードのコンテンツをハードディスク６２から読み出し、ビットマップ画像に展開してバッファメモリ６３に格納する（ステップＳ８１０）。
【００８１】
ビットマップ画像への展開が終了すると、パネル７から入力した印刷設定情報に基づき、プリンタ８に印刷設定を行い、バッファメモリ６３に格納しているビットマップ画像をプリンタ８に出力する（ステップＳ８１１）。
【００８２】
プリンタ８において印刷が正常に終わらなかった場合には、ステップＳ８１１に戻って再び同じビットマップ画像をプリンタ８に出力する。
【００８３】
印刷が正常に終了した場合は（ステップＳ８１２）、印刷終了後にコンテンツを削除すると指定されているかどうかを判定し（ステップＳ８１３）、削除が指定されている場合には、ハードディスク６２上から該コンテンツを削除し、またコンテンツ管理テーブル４００上から該コンテンツのレコードを削除する（ステップＳ８１４）。
【００８４】
１つのコンテンツの処理を終えると、また、ステップＳ８０９で、該コンテンツが指定されたチャンネルのコンテンツでは無かった場合、コンテンツ管理テーブル４００に次のレコードあるかどうかを判定し（ステップＳ８１５）、次のレコードがある場合には、再びステップＳ８０９に戻って次のレコード（コンテンツ）の印刷処理を行う。次のレコードがない場合には、その時点で一連の処理を終える。
【００８５】
以上のようにして、プリンタコントローラ６のハードディスク６２に格納されたコンテンツは、パネル７から入力されたユーザの指示に基づいて印刷される。
【００８６】
（効果）
上述した第１の実施形態によれば、受信したコンテンツを、受信したチャンネル情報とともに保持しておき、後でパネルから指定したチャンネルのコンテンツのみを抽出して印刷する構成としたので、特に放送信号にコンテンツの種類を特定するコンテンツ種類情報を付加しなくとも、受信したチャンネル別にコンテンツを印刷することができる。またその際、印刷形態を指定する手段を設けたので、例えばチャンネル別に印刷形態を変えて印刷することもできる。
【００８７】
［第２の実施形態］
第１の実施形態では、受信したコンテンツを識別するコンテンツ情報として、受信したチャンネル情報を用い、チャンネル別にコンテンツを印刷可能とした。
【００８８】
第２の実施形態では、ＥＰＧ（Ｅｌｅｃｔｒｉｃ  Ｐｒｏｇｒａｍ  Ｇｕｉｄｅ）データを用いて、チャンネル別だけでなく、番組別やジャンル別といった様々な種類別にコンテンツを印刷可能とする。
【００８９】
（受信装置の構成）
図９は、第２の実施形態における受信装置のハード構成の概要を示すブロック図である。なお、第１の実施形態の受信装置と同じブロックは同じ符号で記す。
【００９０】
図示するように、受信装置４は、アナログ復調部４１、映像音声出力部４７および、ＣＰＵ４８のＣＰＵバス５１上に接続する、チューナ４２、データ検出部４３、リモコン受信部４４、プリンタコントローラ・インターフェース（Ｉ／Ｆ）部４６、ＲＯＭ４９、ＲＡＭ５０、データバッファ５２、ＥＰＧ再生部５３、セレクタ５４を備える。
【００９１】
チューナ４１は、アンテナ３から供給される信号の中から選局された放送信号を取り出し、アナログ復調部４２およびデータ検出部４３に出力する。
【００９２】
アナログ復調部４２は、チューナ４１から入力される変調されたアナログ映像音声信号を復調し、復調したアナログ映像音声信号をセレクタ５４に出力する。
【００９３】
映像音声出力部４７は、セレクタ５４から入力されるアナログ映像音声信号、または映像信号をモニタに出力する。
【００９４】
データ検出部４３は、チューナ４２から入力した放送信号に含まれるコンテンツやＥＰＧデータを検出してＣＰＵバス５１上に出力する。ＣＰＵ４８は、データ検出部４３で検出されたデータがコンテンツである場合には、コンテンツをＲＡＭ５０に格納するとともに、プリンタコントローラＩ／Ｆ部４６を介してプリンタコントローラ６にコンテンツを受信した旨を通知する。また、検出されたデータがＥＰＧデータである場合には、ＥＰＧデータをデータバッファ５２に格納する。
【００９５】
リモコン４５は、受信装置４を制御するもので、電源操作や選局操作が可能なキーを備え、操作指示を赤外線により受信装置４に送信する。また、ＥＰＧの参照や視聴予約の操作指示を受信装置４に送信する。
【００９６】
リモコン受信部４４は、リモコン４５から送信される赤外線を受信して、電源操作、選局操作、ＥＰＧの参照、視聴予約などの操作指示をＣＰＵバス５１上に出力する。
【００９７】
ＥＰＧ再生部５３は、ＣＰＵ４８の指示に基づきデータバッファ５２に格納されているＥＰＧデータを映像信号に変換してセレクタ５４に出力する。
【００９８】
セレクタ５４は、ＣＰＵ４８の指示に基づき、アナログ復調部４１から入力されるアナログ映像音声信号（放送信号）、または、ＥＰＧ再生部５３から入力される映像信号（ＥＰＧ再生信号）のいずれかを映像音声出力部４７に出力する。
【００９９】
ＣＰＵ４８は、ＲＯＭ４９に格納された制御プログラムに従って、受信装置４の各部を制御する。
【０１００】
ＲＡＭ５０は、データ検出部４３やリモコン受信部４４から出力されるデータを格納したり、ＣＰＵ４８の作業領域として使用されるメモリである。
【０１０１】
なお、プリンタコントローラ６のハード構成は、第１の実施形態と同様であるため、説明を割愛する。
【０１０２】
（ＥＰＧデータの説明）
次に、ＥＰＧ（Ｅｌｅｃｔｒｉｃ  Ｐｒｏｇｒａｍ  Ｇｕｉｄｅ）データについて詳細に説明する。
【０１０３】
ＥＰＧは、主にユーザが、数あるチャンネルの番組の中から視聴したい番組を選ぶために用いられる電子番組ガイドで、放送局から放送信号に重畳されて送信される。
【０１０４】
また、ＥＰＧデータには、現在より数時間から数日分の各チャンネルの各番組に関する情報が含まれているので、ユーザはＥＰＧを参照してこれから放送される番組の中から所望の番組を選択し、受信装置に対して選択した番組の視聴予約を設定しておくといった使い方も可能である。
【０１０５】
図１０は、データ検出部４３で検出されデータバッファ５２に格納されるＥＰＧデータの例を示す図である。
【０１０６】
図示するとおりＥＰＧデータは、Ｇｕｉｄｅ  Ｄａｔａ部、Ｃｈａｎｎｅｌ  Ｄａｔａ部、Ｐｒｏｇｒａｍ  Ｄａｔａ部から構成される。
【０１０７】
Ｇｕｉｄｅ  Ｄａｔａ部には、現在の日付を示すＤａｔｅ、現在の時刻を示すＴｉｍｅ、チャンネル数を示すＮｕｍｂｅｒ  ｏｆ  Ｃｈａｎｎｅｌ、各チャンネルのＣｈａｎｎｅｌ  Ｄａｔａが格納されているアドレスまでのＣｈａｎｎｎｅｌ  Ｄａｔａ部の先頭からのオフセットを示すＣｈａｎｎｅｌ  Ｏｆｆｓｅｔがチャンネル数分（Ｃｈａｎｎｅｌ１’ｓ  Ｏｆｆｓｅｔ〜ＣｈａｎｎｅｌＮ’ｓ
Ｏｆｆｓｅｔ）配置されている。
【０１０８】
Ｃｈａｎｎｅｌ  Ｄａｔａ部には、チャンネル番号を示すＣｈａｎｎｅｌ  Ｎｏ、放送局の名称を示すＣｈａｎｎｅｌ  Ｎａｍｅ、該放送局の番組数を示すＮｕｍｂｅｒ  ｏｆ  Ｐｒｏｇｒａｍｓ、各番組のＰｒｏｇｒａｍ  Ｄａｔａが格納されているアドレスまでのＰｒｏｇｒａｍ  Ｄａｔａ部の先頭からのオフセットを示すＰｒｏｇｒａｍ  Ｏｆｆｓｅｔが番組数分（Ｐｒｏｇｒａｍ１−１’ｓＯｆｆｓｅｔ〜Ｐｒｏｇｒａｍ１−Ｍ’ｓ  Ｏｆｆｓｅｔ）配置されている。
【０１０９】
Ｐｒｏｇｒａｍ  Ｄａｔａ部には、番組名を示すＰｒｏｇｒａｍ  Ｔｉｔｌｅ、番組の開始時刻を示すＳｔａｒｔ  Ｔｉｍｅ、番組の終了時刻を示すＥｎｄ  Ｔｉｍｅ、番組の内容を説明する記述が含まれるＰｒｏｇｒａｍ  Ｄｅｓｃｒｉｐｔｉｏｎ、番組のジャンル（ニュース、カタログ、教育など）を示すＪａｎｌｅが配置されている。
【０１１０】
（ＥＰＧの表示と番組視聴予約）
次にＥＰＧの表示とＥＰＧを使った番組視聴予約の処理について、図１３のフローチャートと図１１、図１２の表示例を用いて説明する。
【０１１１】
図１３は、ＥＰＧの表示と受信予約を行う際の受信装置４における処理を示したフローチャートである。
【０１１２】
リモコン４５からＥＰＧの表示操作を行うと、その指示がリモコン受信部４４を介してＣＰＵ４８に入力される。
【０１１３】
ＣＰＵ４８は、ＥＰＧの表示指示を入力すると、まずセレクタ５４をＥＰＧ再生部５３から入力される映像を出力するように切り換える（ステップＳ１３０１）。
【０１１４】
続いて、データバッファ５２に記憶しているＥＰＧデータから、番組ガイドを表示するためのデータを抽出してＥＰＧ再生部５３に出力する（ステップＳ１３０２）。すると、モニタ５上に図１１に示すような番組ガイドが表示される。
【０１１５】
図１１にモニタ５上に表示される番組ガイドの表示例を示す。
【０１１６】
図示するとおり番組ガイド１１０には、現在の日時１１０１と、チャンネル／放送局名１１０２と、各放送局の現在の時刻から所定時間分の番組名、すなわち放送予定のタイムテーブル１２０３と、番組ガイドの表示を終了するための終了ボタン１２０４が表示される。
【０１１７】
なお、表示例では３チャンネル分の現在の時刻から９０分後までの番組名しか表示されていないが、リモコン４５を使って画面上に表示されているカーソル１２０５を移動することによって、その他のチャンネルや、現在の時刻から９０分後以降の番組名もスクロールして表示することができる。
【０１１８】
再び図１３のフローチャートに戻って説明する。
【０１１９】
ステップＳ１３０２で番組ガイド１１０を表示したのち、ユーザの操作待ちとなり、リモコン受信部４４からユーザの操作指示が入力されるのを待機する（ステップＳ１３０３）。
【０１２０】
リモコン４５で現在モニタ５上に表示されているチャンネル以外や時間以外のタイムテーブルを表示するためのスクロール操作を行った場合、リモコン受信部４４からそのスクロール情報が入力され、再びステップＳ１３０２に戻って、指定されたチャンネルや時間のタイムテーブルをＥＰＧデータから抽出しモニタ５上に表示する。
【０１２１】
また、リモコン４５で画面上の終了ボタン１１０４にカーソルを合わせて選択した場合、リモコン受信部４４より番組ガイドの表示を終了する指示が入力され、セレクタ５４をアナログ復調部４１から入力されるアナログ映像・音声信号を出力するように切り替え、モニタ５上に受信した放送の映像・音声を出力する。
【０１２２】
また、リモコン４５で所定の番組にカーソルを合わせて選択した場合、リモコン受信部４４より該番組の番組説明を表示する指示が入力され、ＥＰＧデータから番組説明を表示するために必要なデータを抽出してＥＰＧ再生部５３に出力する（ステップＳ１３０４）。すると、モニタ５上に図１２に示すような番組説明が表示される。
【０１２３】
図１２にモニタ５上に表示される番組説明の表示例を示す。
【０１２４】
図示するとおり、番組説明１２０には、チャンネル／放送局名１２０１、番組タイトル／開始・終了時刻１２０２、番組のジャンル１２０３、番組の内容１２０４が表示される。これらの情報は、ＥＰＧデータの選択された番組のＰｒｏｇｒａｍ  Ｄａｔａから抽出される。また、この番組の視聴予約をするためのボタン１２０５、および番組ガイドに戻るボタン１２０６が表示される。
【０１２５】
ステップＳ１３０４で番組説明１２０を表示すると、ユーザからの操作待ちとなり（ステップＳ１３０５）、ユーザが番組説明１２０の画面で、リモコン４５で戻るボタン１２０６にカーソルを合わせて選択すると、リモコン受信部４４から再び番組ガイドを表示する指示が入力され、ステップＳ１３０２に戻って番組ガイド１６０を表示する。
【０１２６】
また、リモコン４５で視聴予約のボタン１２０５にカーソルを合わせて選択すると、リモコン受信部４４からその旨入力され、その番組の視聴予約を設定する（ステップＳ１３０６）。視聴予約の設定では、設定された番組の各種情報を視聴予約テーブルにセットする。
【０１２７】
視聴予約の設定を終えると、ステップＳ１３０２に戻って再び番組ガイド１６０を表示する。
【０１２８】
ここで視聴予約テーブルの例を図１４に示す。
【０１２９】
視聴予約テーブル１４０は、視聴予約された番組の各種情報を格納したテーブルで、図示するとおり、日付を示すＤａｔｅ、番組の開始時刻を示すＳｔａｒｔＴｉｍｅ、番組の終了時刻を示すＥｎｄＴｉｍｅ、チャンネル番号を示すＣｈ．、番組のタイトルを示すＰｒｏｇｒａｍＴｉｔｌｅ、番組のジャンルを示すＪａｎｌｅ、予約の実行状況（実行中、開始待ち）を示すＳｔａｔｕｓから構成される。
【０１３０】
受信装置４は、この視聴予約テーブル１４０を逐次参照し、予約された番組の開始時間が到来すると、チューナ４２を所定のチャンネルに選局し、番組の視聴を開始する。
【０１３１】
受信装置４における以上の処理により、モニタ５上に番組ガイドを表示したり、ユーザが番組ガイドを参照して視聴予約を行うことができる。
【０１３２】
（コンテンツ受信処理）
次に、第２の実施形態におけるコンテンツ受信処理について、図１６のフローチャートを用いて説明する。
【０１３３】
図１６は、受信装置４におけるコンテンツ受信時の処理の流れを示したフローチャートである。
【０１３４】
受信装置４のデータ検出部４３でコンテンツを検出すると、検出したコンテンツをＲＡＭ５０に格納する（ステップＳ５０１）。
【０１３５】
続いて、視聴予約テーブル１４０を参照し、現在視聴中の番組、すなわちＳｔａｔｕｓが実行中のレコードを参照して、該レコードにセットされている各種番組情報（チャンネル番号、番組名、ジャンル）を取り出し、ＲＡＭ５０に記憶する（ステップＳ１６０２）。
【０１３６】
次に、プリンタコントローラＩ／Ｆ部４６を介して、プリンタコントローラ６にコンテンツを受信した旨を通知する（ステップＳ１６０３）。なお、この際、受信したコンテンツのデータサイズを通知する。
【０１３７】
プリンタコントローラ６から該通知に対する応答がくるのを待機して（ステップＳ１６０４）、プリンタコントローラ６から応答がくると、その応答の内容が、プリンタコントローラ６においてコンテンツを格納可能であるか否かを判定する（ステップＳ１６０５）。
【０１３８】
コンテンツを格納可能である場合には、ＲＡＭ５０に格納しているコンテンツおよびコンテンツの情報（コンテンツ名、チャンネル番号、番組名、ジャンル）を、プリンタコントローラ６に送信する（ステップＳ１６０６）。
【０１３９】
なお、コンテンツを格納不可能である場合には、何も送信しない。
【０１４０】
ステップＳ１６０６でプリンタコントローラ６にコンテンツを送信し終えた後、若しくは、ステップＳ１６０５でコンテンツを格納不可能である場合には、ＲＡＭ５０に格納しているコンテンツおよびコンテンツ情報を削除して（ステップＳ１６０７）、一連の処理を終える。
【０１４１】
なお、プリンタコントローラ６において、受信装置４からコンテンツの受信通知を受けてコンテンツをハードディスク６２に格納するまでの処理は、基本的に第１の実施形態のフローチャート６と同様であるため、説明を割愛する。但し、受信装置４から送信されるコンテンツ情報が、第１の実施形態ではコンテンツ名とチャンネル番号だけであったのに対し、本実施形態においては、それらに加えて、番組名およびジャンルが追加されている（図１６のステップＳ１６０６）。これに伴い、本実施形態におけるプリンタコントローラ６のコンテンツ管理テーブルは、図１５に示す構成となる。
【０１４２】
図示するとおり、コンテンツ管理テーブル４０１は、管理Ｎｏ．を示すＮｏ．、コンテンツ名を示すＮａｍｅ、受信したチャンネル番号を示すＣｈ．、番組名を示すＰｒｏｇｒａｍ  Ｔｉｔｌｅ、ジャンルを示すＪａｎｌｅ、ハードディスク６２上のコンテンツの格納先アドレスを示すＡｄｄｒｅｓｓからなる。
【０１４３】
（コンテンツ印刷処理）
次に、第２の実施形態におけるプリンタコントローラ６のコンテンツ印刷時の処理について説明する。
【０１４４】
図１７は、コンテンツ印刷時に、パネル７に表示される操作画面のフローを示した図である。
【０１４５】
画面１７０１は、コンテンツ印刷時の初期画面を示す。画面１７０１では、ハードディスク６２に格納しているコンテンツを全て印刷するか、指定した種類のコンテンツのみを印刷するかを選択する項目と、印刷終了後にハードディスク６２に格納しているコンテンツを削除するかどうかの選択項目が表示される。また、印刷設定ボタンを押下すると画面７０２が表示される。
【０１４６】
画面１７０２は、コンテンツの印刷設定を行う画面で、画面１７０１で「種類を指定して印刷」を選択した場合、指定した種類に応じて、さらに詳細な種類の選択を行う。
【０１４７】
例えば、画面１７０１で種類として「ジャンル」を選択した場合、画面１７０２では、ジャンルの詳細として、「ニュース」、「カタログ」、「教育」という選択肢が表示される。ユーザはこの画面でジャンルを選択する。
【０１４８】
また、印刷の仕上げ方法として、片面印刷または両面印刷を選択する項目と、印刷部数を指定する項目が表示される。
【０１４９】
画面１７０２で印刷設定を行ってＯＫボタンを押下すると、その設定情報がプリンタコントローラ６に通知され、プリンタコントローラ６は、設定情報をＲＡＭ５０に記憶した後、再び画面１７０１を表示する。戻るボタンを押下した場合は、そのまま画面１７０１を表示する。
【０１５０】
画面１７０２で印刷設定を行った後、画面１７０１で印刷開始ボタンを押下すると、設定された情報に基づき、コンテンツの印刷が開始される。
【０１５１】
画面１７０３は、画面１７０１で「種類を指定して印刷」＆「ジャンル」が選択されて印刷開始ボタンが押下された際に、指定された「ジャンル」のコンテンツ、すなわち印刷すべきコンテンツが１つも無い場合に表示されるエラー画面である。ＯＫボタンを押下することにより、再び画面７０１が表示される。
【０１５２】
画面１７０４は、コンテンツ印刷中に表示される画面で、印刷が終了すると再び画面１７０１が表示される。
【０１５３】
図１８は、プリンタコントローラ６におけるコンテンツ印刷時の処理を示したフローチャートで、本処理は、パネル７の画面１７０１で印刷開始が押下された時点で起動する。
【０１５４】
プリンタコントローラ６は、パネル７から入力した画面１７０１での設定情報に基づき、全てのコンテンツを印刷するか、指定した種類のコンテンツのみを印刷するかを判定する（ステップＳ１８０１）。
【０１５５】
全てのコンテンツを印刷すると判定した場合、コンテンツ管理テーブル４０１を参照し、最初のレコードのコンテンツをハードディスク６２から読み出し、ビットマップ画像に展開してバッファメモリ６３に格納する（ステップＳ１８０２）。
【０１５６】
ビットマップ画像への展開が終了すると、パネル７から入力した印刷設定情報に基づき、プリンタ８に印刷設定を行い、バッファメモリ６３に格納しているビットマップ画像をプリンタ８に出力する（ステップＳ１８０３）。
【０１５７】
プリンタ８において印刷が正常に終わらなかった場合には、ステップＳ８０４に戻って再び同じビットマップ画像をプリンタ８に出力する。
【０１５８】
印刷が正常に終了した場合は（ステップＳ１８０４）、印刷終了後にコンテンツを削除すると指定されているかどうかを判定し（ステップＳ１８０５）、削除が指定されている場合には、ハードディスク６２上から該コンテンツを削除し、またコンテンツ管理テーブル４０１上から該コンテンツのレコードを削除する（ステップＳ１８０６）。
【０１５９】
１つのコンテンツの処理を終えると、コンテンツ管理テーブル４０１に次のレコードあるかどうかを判定し（ステップＳ１８０７）、次のレコードがある場合には、再びステップＳ１８０２にも戻って次のレコード（コンテンツ）の印刷処理を行う。次のレコードがない場合には、その時点で一連の処理を終える。
【０１６０】
ステップＳ１８０１で、指定した種類のコンテンツのみを印刷すると判定した場合、コンテンツ管理テーブル４０１に、指定された種類のコンテンツがあるかどうか検索する（ステップＳ１８０８）。この際、例えば、種類として、「ジャンル」＝「ニュース」が指定されていた場合、コンテンツ管理テーブル４０１のＪａｎｌｅを参照し、ニュースと一致するレコード（コンテンツ）を検索する。図１５のコンテンツ管理テーブル４０１の例では、この場合、Ｎｏ．１とＮｏ．４のレコード（コンテンツ）が該当する。
【０１６１】
ステップＳ１８０８で、コンテンツ管理テーブル４０１に、指定された種類のコンテンツが一つも見つからなかった場合、パネル７にエラー画面１７０３を表示する（ステップＳ１８１６）。
【０１６２】
画面１７０３でＯＫキーが押下されるのを待機し（ステップＳ１８１７）、ＯＫキーが押下されると、パネルに初期画面１７０１を表示して一連の処理を終える。
【０１６３】
ステップＳ１８０８で、コンテンツ管理テーブル４０１に、指定された種類のコンテンツが見つかった場合、続いて、コンテンツ管理テーブル４０１の最初のレコードを参照し、指定された種類と一致するか否かを判定する（ステップＳ１８０９）。
【０１６４】
種類が一致した場合、該レコードのコンテンツをハードディスク６２から読み出し、ビットマップ画像に展開してバッファメモリ６３に格納する（ステップＳ１８１０）。
【０１６５】
ビットマップ画像への展開が終了すると、パネル７から入力した印刷設定情報に基づき、プリンタ８に印刷設定を行い、バッファメモリ６３に格納しているビットマップ画像をプリンタ８に出力する（ステップＳ１８１１）。
【０１６６】
プリンタ８において印刷が正常に終わらなかった場合には、ステップＳ１８１１に戻って再び同じビットマップ画像をプリンタ８に出力する。
【０１６７】
印刷が正常に終了した場合は（ステップＳ１８１２）、印刷終了後にコンテンツを削除すると指定されているかどうかを判定し（ステップＳ１８１３）、削除が指定されている場合には、ハードディスク６２上から該コンテンツを削除し、またコンテンツ管理テーブル４０１上から該コンテンツのレコードを削除する（ステップＳ１８１４）。
【０１６８】
１つのコンテンツの処理を終えると、また、ステップＳ１８０９で、該コンテンツが指定された種類のコンテンツでは無かった場合、コンテンツ管理テーブル４０１に次のレコードあるかどうかを判定し（ステップＳ１８１５）、次のレコードがある場合には、再びステップＳ１８０９に戻って次のレコード（コンテンツ）の印刷処理を行う。次のレコードがない場合には、その時点で一連の処理を終える。
【０１６９】
以上のようにして、プリンタコントローラ６のハードディスク６２に格納されたコンテンツは、パネル７から入力されたユーザの指示に基づいて、指定された種類のコンテンツのみ所望の印刷形態で印刷される。
【０１７０】
（効果）
上述した第２の実施形態によれば、受信したコンテンツを、ＥＰＧデータから抽出した各種番組情報（チャンネル、番組名、ジャンル）とともに保持しておき、後でパネルからコンテンツを印刷する際に、これらの情報をコンテンツの種類として指定し、指定された種類のコンテンツのみを抽出して印刷する構成としたので、特に放送信号にコンテンツの種類を特定するコンテンツ種類情報を付加しなくとも、様々なコンテンツの種類を指定して印刷することができる。さらにまた、印刷形態を指定する手段を設けたので、例えば「ジャンル」＝「ニュース」は両面印刷で、「ジャンル」＝「カタログ」は製本印刷で、といったように、コンテンツの種類ごとにより詳細な印刷形態を指定して印刷することができる。
【０１７１】
【発明の効果】
以上説明したように、本発明によれば、受信したコンテンツを受信したチャンネル番号や、ＥＰＧに含まれる番組情報とともに記憶しておき、後でこれらの番組情報をコンテンツの種類情報として指定して、指定された種類のコンテンツのみを印刷するので、予め放送信号にコンテンツの種類を区別するための情報を付加しておく必要がない。
【０１７２】
また、コンテンツを種類別に印刷することができるので、単に受信した順に印刷する場合と比べて、印刷物の判別が容易となる。
【０１７３】
さらにまた、コンテンツを印刷する際に、両面印刷、製本印刷といった印刷形態を指定可能としたので、コンテンツの種類ごとに印刷形態を変えて印刷することができるなど様々な効果が得られる。
【図面の簡単な説明】
【図１】本発明のシステム全体の一例を示す図である。
【図２】第１の実施形態における受信装置のハード構成を示すブロック図である。
【図３】第１の実施形態におけるプリンタコントローラのハード構成を示すブロック図である。
【図４】第１の実施形態におけるコンテンツ管理テーブルの一例を示す図である。
【図５】第１の実施形態におけるコンテンツ受信処理時の受信装置の処理を示すフローチャートである。
【図６】第１の実施形態におけるコンテンツ受信処理時のプリンタコントローラの処理を示すフローチャートである。
【図７】第１の実施形態におけるコンテンツ印刷時の操作画面フローを示す図である。
【図８】第１の実施形態におけるコンテンツ印刷時の処理を示すフローチャートである。
【図９】第２の実施形態における受信装置のハード構成を示すブロック図である。
【図１０】第２の実施形態におけるＥＰＧデータの一例を示す図である。
【図１１】第２の実施形態における番組ガイドの表示例を示す図である。
【図１２】第２の実施形態における番組説明の表示例を示す図である。
【図１３】第２の実施形態におけるＥＰＧの表示と視聴予約処理を示すフローチャートである。
【図１４】第２の実施形態における視聴予約テーブルの一例を示す図である。
【図１５】第２の実施形態におけるコンテンツ管理テーブルの一例を示す図である。
【図１６】第２の実施形態におけるコンテンツ受信処理時の受信装置の処理を示すフローチャートである。
【図１７】第２の実施形態におけるコンテンツ印刷時の操作画面フローを示す図である。
【図１８】第２の実施形態におけるコンテンツ印刷時の処理を示すフローチャートである。
【符号の説明】
１  放送局
２  放送信号
３  アンテナ
４  受信装置
５  モニタ
６  プリンタコントローラ
７  パネル
８  プリンタ
９  用紙
４１  アナログ復調部
４２  チューナ
４３  データ検出部
４４  リモコン受信部
４５  リモコン
４６  プリンタコントローラ・インターフェース部
４７  映像・音声出力部
４８、６７  ＣＰＵ
４９、６８  ＲＯＭ
５０、６９  ＲＡＭ
５１、７０  ＣＰＵバス
５２  データバッファ
５３  ＥＰＧ再生部
５４  セレクタ
６１  受信装置インターフェース部
６２  ハードディスク
６３  バッファメモリ
６４  プリンタ・インターフェース部
６５  パネル・インターフェース部
６６  パネル
【図１】
2004172839.tif 000003
【図２】
2004172839.tif 000004
【図３】
2004172839.tif 000005
【図４】
2004172839.tif 000006
【図５】
2004172839.tif 000007
【図６】
2004172839.tif 000008
【図７】
2004172839.tif 000009
【図８】
2004172839.tif 000010
【図９】
2004172839.tif 000011
【図１０】
2004172839.tif 000012
【図１１】
2004172839.tif 000013
【図１２】
2004172839.tif 000014
【図１３】
2004172839.tif 000015
【図１４】
2004172839.tif 000016
【図１５】
2004172839.tif 000017
【図１６】
2004172839.tif 000018
【図１７】
2004172839.tif 000019
【図１８】
2004172839.tif 000020